(57)【要約】      （修正有）【課題】ポリウレタン系は、使用される金型材料、好ましくは金属のような熱伝導性の大きい材料に対して強い接着性を示すことが知られており、ポリウレタン成形体の脱型時に、ポリウレタンおよび／又はポリウレタン反応混合物と接触する金型内壁に塗付される離型剤が必要とされる。このため、水性離型剤およびポリウレタン成形体製造時のその使用を提供する。【解決手段】離型活性剤として少なくとも１種類の金属石鹸を含有し、更に少なくとも１種類のポリアルキレングリコールを含有することを特徴とする、水性離型剤組成物。【選択図】なし【特許請求の範囲】
【請求項１】
離型活性剤として少なくとも１種類の金属石鹸を含有し、更に少なくとも１種類のポリアルキレングリコールを含有することを特徴とする、水性離型剤組成物。
【請求項２】
Ａ）少なくとも１種類の離型活性金属石鹸０．５〜４０重量％と、
Ｂ）少なくとも１種類のポリアルキレングリコール０．１〜２０重量％と、
Ｃ）任意の補助剤および添加剤と、
Ｄ）水、残部と、
を含有することを特徴とする、請求項１に記載の離型剤組成物。
【請求項３】
補助剤および／又は添加剤として、乳化剤、触媒、気泡安定剤、粘度調整剤、防腐剤、および／又は炭素数４以下の短鎖アルコールから選択される１種類以上の化合物が存在することを特徴とする、請求項２に記載の水性離型剤組成物。
【請求項４】
離型活性金属石鹸としてイソステアリン酸アルカリ金属塩が含有されていることを特徴とする、請求項１〜３のいずれか一項に記載の離型剤組成物。
【請求項５】
ポリアルキレングリコールとして、２００〜３０，０００ｇ／ｍｏｌのモル質量を有するポリアルキレングリコールが含有されていることを特徴とする、請求項１〜４のいずれか一項に記載の離型剤組成物。
【請求項６】
ポリアルキレングリコールとして、ポリプロピレンオキサイドが含有されていることを特徴とする、請求項１〜５のいずれか一項に記載の離型剤組成物。
【請求項７】
ポリウレタン成形体を製造するための請求項１〜６のいずれか一項に記載の離型剤の使用。
【発明の詳細な説明】
【背景技術】
【０００１】
本発明は、水性離型剤およびポリウレタン成形体製造時のその使用に関する。
【０００２】
成形体の製造のために使用されるポリウレタン系は、使用される金型材料、好ましくは金属のような熱伝導性の大きい材料に対して強い接着性を示すことが知られている。従って、ポリウレタン成形体の脱型時に、ポリウレタンおよび／又はポリウレタン反応混合物と接触する金型内壁に塗付される離型剤が必要とされる。
【０００３】
このような離型剤は、通常、ワックス、石鹸、油、および／又はシリコーンを炭化水素又は水などの溶媒中に分散又は乳化させた分散体又はエマルションからなる。
【０００４】
金型に離型剤を塗布した後、溶媒が蒸発し、不揮発性の離型活性物質が薄い離型膜を形成し、それによって製造後にポリウレタン成形体を金型から容易に取り出せることが保証されなければならない。
【０００５】
有機材料による環境負荷を低減するために、揮発性有機材料を含まない水性ベースの離型剤に対して高い関心が寄せられている。しかし、市販の水性離型剤は、従来の有機溶媒含有離型剤と比較して、水の大部分が蒸発した後、常に薄い水膜が金型内に残留し、これは４５℃〜８０℃、好ましくは５０〜７５℃の通常の金型温度で（完全には）揮発せず、ポリウレタン系のイソシアネート化合物と反応し、非常に硬いポリ尿素化合物を生成するという欠点を示す。それによって金型表面が汚損される。金型表面にいわゆる付着が起こり、それを清掃しなければならないがこれには労力がかかる。
【０００６】
典型的な種類の水性離型剤は、粘度を低く維持するため、およびそれによってプロセス状態および金型表面を濡らす能力を最適にするため、石鹸液、即ち、金属脂肪酸塩の水溶液（アルコールを補助として用いることが多い）である。ごく一般的には、例えば、そのアルカリ、アルカリ土類、亜鉛、又はアルミニウム塩の形態の、炭素数８〜２２の飽和又は不飽和カルボン酸が有用であると分かった。
【０００７】
特に、ＤＥ  ３６  ００  ３６８は、水−アルコール混合物中のイソステアリン酸ナトリウムの溶液が濡れ性に関して最適な離型剤であると記載している。好ましいアルコールとしては、エタノール、プロパノール、又はブタノールが挙げられる。
【０００８】
前述の石鹸液は、各脱型前に新たに離型膜として金型内に塗付される。実際、それは、しかし、少数回の脱型の間しか満足な離型作用を示さない。ポリウレタンフォームの種類に応じて、離型作用は、約２０〜５０回脱型した後、低下し始める。水の大部分が気化した後、主として、そのつどの石鹸からなる離型膜は、硬く且つ脆くなり始め、しばらく経った後、もはや離型は可能ではない。
【特許文献１】ＤＥ  ３６  ００  ３６８
【発明の開示】
【発明が解決しようとする課題】
【０００９】
従って、本発明の課題は、従来技術の金型離型剤の欠点の１つ以上を有しておらず、とりわけ、良好な離型作用を示し、金型表面にポリ尿素付着物を残留させない、および／又はより長く繰り返し使用しても離型作用が低下しない水性金型離型剤を提供することであった。
【課題を解決するための手段】
【００１０】
意外なことに、水性配合物全体を基準にして０．５〜４０重量％、好ましくは１〜３０重量％の量の従来の離型活性石鹸、例えば、炭素数８〜２２の飽和又は不飽和カルボン酸のアルカリ、アルカリ土類、亜鉛又はアルミニウム塩の水性分散体を、０．１〜２０重量％、好ましくは０．５〜１０重量％の量のポリエーテル（ポリアルキレングリコールとも称される）と組み合わせたものがこれらの課題を解決するということが分かった。
【００１１】
従って、本発明の対象は、離型活性剤（金型表面に離型膜を形成することができる試剤）として少なくとも１種類の金属石鹸を含有し、更に少なくとも１種類のポリアルキレングリコールを含有することを特徴とする水性離型剤組成物である。
【００１２】
更に、本発明の対象は、ポリウレタン成形体を製造するための本発明による離型剤の使用である。
【００１３】
本発明による離型剤は、水の大部分が気化したときでも、存在するポリエーテルによって石鹸離型膜が柔軟なままであるという利点を有する。
【００１４】
本発明による離型剤およびその使用を以下に例として記載するが、本発明はこれらの例示的な実施形態に限定されるものではない。以下に範囲、一般式、又は化合物の種類が記載されているが、これらは、明確に記載されている対応する範囲又は化合物の群だけでなく、個々の値（範囲）又は化合物を取り出すことによって得ることができる範囲の一部および化合物の群の一部も全て包含する。本発明の詳細な説明の範囲内で文献が引用される場合、その内容全体が本発明の開示内容に属するものとする。
【発明を実施するための最良の形態】
【００１５】
本発明による水性離型剤組成物は、離型活性剤として少なくとも１種類の金属石鹸と、更に少なくとも１種類のポリアルキレングリコールと、場合によっては補助剤および／又は添加剤を含有することを特徴とする。
【００１６】
離型活性金属石鹸として、本発明による離型剤組成物中に、例えば、炭素数８〜２２の飽和又は不飽和カルボン酸のアルカリ、アルカリ土類、亜鉛又はアルミニウム塩、特にアルカリ金属塩が存在してもよい。好ましくは、本発明による組成物中に、金属石鹸として、炭素数８〜２２の飽和又は不飽和カルボン酸のアルカリ金属塩、特に好ましくはリチウム、ナトリウム、および／又はカリウム塩が存在する。
【００１７】
金属石鹸として、本発明による離型剤組成物中に、とりわけ、既知の一塩基性脂肪酸、例えば、炭素数８〜２２、特に炭素数１２〜１８の天然の植物性又は動物性脂肪又は油をベースにするカルボン酸の塩が存在する。好ましくは、本発明による離型剤組成物中に金属石鹸として、カプロン酸、カプリル酸、カプリン酸、ラウリン酸、ミリスチン酸、パルミチン酸、パルミトレイン酸、イソステアリン酸、ステアリン酸、オレイン酸、リノール酸、ペトロセリン酸、エライジン酸、アラキン酸、ベヘン酸、エルカ酸、ガドレイン酸、菜種油脂肪酸、大豆油脂肪酸、ひまわり油脂肪酸、リシノール酸、１２−ヒドロキシステアリン酸および／又はトール油脂肪酸の１種類以上の塩が存在する。類似の鎖構造を有する原則的に全ての脂肪酸が適している。特に好ましい金属石鹸は、イソステアリン酸、１２−ヒドロキシステアリン酸又はオレイン酸の塩である。離型活性金属石鹸として、イソステアリン酸アルカリ金属塩、特にイソステアリン酸ナトリウムおよび／又はカリウムが極めて好ましい。
【００１８】
とりわけ、離型活性金属石鹸は、組成物全体を基準にして０．５〜４０重量％、好ましくは１〜３０重量％、特に好ましくは３〜２０重量％、極めて好ましくは４〜１０重量％の量で含有されている。
【００１９】
ポリアルキレングリコールとして、本発明による離型剤組成物は、例えば、エチレンオキサイド（ＥＯ）、プロピレンオキサイド（ＰＯ）又はＥＯおよびＰＯエチレンオキサイドをベースにするようなものを含有してもよい。とりわけ、エチレンオキサイド（ＥＯ）および／又はプロピレンオキサイド（ＰＯ）と多価アルコールとの重合或いは共重合により得ることができるこのようなポリアルキレングリコールが含有されている。多価アルコールとしては、例えば、エチレングリコール、ジエチレングリコール、トリエチレングリコール、テトラエチレングリコール、プロパンジオール−１，２又は−１，３、ブタンジオール−１，３又は−１，４、ヘキサンジオール−１，６、オクタンジオール−１，８、ジプロピレングリコール、ポリプロピレングリコール、ジブチレングリコール、ポリブチレングリコール、グリセリン、ジグリセリン、トリグリセリン、トリメチロールプロパン（Trimehtylolpropan）、ジトリメチロールプロパン、ペンタエリスリトール、ジペンタエリスリトール、キニトール、マンニトール、ソルビトール、又はメチルグリコシド、とりわけ、エチレングリコール、ジエチレングリコール、トリエチレングリコール、プロパンジオール−１，２又は−１，３、ジプロピレングリコール、グリセリン、又はペンタエリトリトールが使用される。
【００２０】
本発明による離型剤組成物中に含有されるポリアルキレングリコールは、０：１００〜１００：０のＥＯ／ＰＯ重量比を有してもよい。従って、純粋なポリプロピレンオキサイドも、純粋なポリエチレンオキサイドも、混合共重合体（Mischcopolymerisate）も含有されていてもよい。混合共重合体は、ブロック状の又は無秩序な配列の（ランダム状の）ＥＯ／ＰＯ単位を有してもよい。
【００２１】
とりわけ、本発明による離型剤組成物は、ポリアルキレングリコールとして、２００〜３０，０００ｇ／ｍｏｌ、好ましくは１，０００〜２０，０００ｇ／ｍｏｌ、特に好ましくは２０００〜１０，０００ｇ／ｍｏｌのモル質量を有するポリアルキレングリコールを有する。
【００２２】
好ましくは、本発明による離型剤組成物は、水溶性ポリアルキレングリコールとして、市販のポリアルキレングリコール、例えば、Clariant AGのポリグリコールＰ４１／３００、ポリグリコールＰ４１／３０００、又はポリグリコールＰ４１／１２０００などを含有する。
【００２３】
好ましくは、本発明による離型剤組成物は、ポリアルキレングリコールとしては、Pluronic（登録商標）ＲＰＥ１７２０〜３１１０(BASF)として入手可能なエチレングリコール、ジエチレングリコール又はトリエチレングリコールから出発したＰＯ−ＥＯ−ＰＯブロック共重合体を含有する。
【００２４】
好ましくは本発明による離型剤組成物は、ポリアルキレングリコールとして、ポリプロピレンオキサイド、即ち、アルキレンオキサイドとしてプロピレンオキサイドのみをベースにするポリアルキレングリコールを含有する。このようなポリアルキレングリコールは、例えば、製造業者Bayer Material Science LLCのAcclaim（登録商標）Ｐｏｌｙｏｌ４２００〜１８２００として入手可能である。
【００２５】
好ましいポリアルキレングリコールの幾つかは非水溶性であっても、又は水に難溶性であってもよいため、それらは、好ましくは水溶性エマルションの形態で組成物中に使用されてもよい。乳化剤として、このようなエマルションは、例えば、後述の乳化剤、好ましくはエトキシ化脂肪アルコール、エトキシ化オキソアルコールおよび他のアルコールエーテルのような非イオン性乳化剤を有してもよい。このような乳化剤は、例えば、Genapol（登録商標）、Emulsogen（登録商標）（製造業者、Clariant AG）、又は、Tego（登録商標）Alkanol（製造業者、Degussa GmbH/Goldschmidt GmbH）の名称で入手可能である。好ましくは、エマルションはポリアルキレングリコール３０〜６０重量％、乳化剤５〜１５重量％、および水、残部を有する。
【００２６】
本発明による離型剤組成物は、ポリアルキレングリコールをとりわけ、水性配合物全体を基準にして０．１〜２０重量％、好ましくは０．５〜１０重量％、特に好ましくは２〜５重量％の量で有する。
【００２７】
本発明による離型剤組成物は、とりわけ、少なくとも１種類の離型活性金属石鹸を組成物全体を基準にして０．５〜４０重量％、好ましくは１〜３０重量％、特に好ましくは３〜２０重量％、極めて好ましくは５〜１０重量％と、少なくとも１種類のポリアルキレングリコールを組成物全体を基準にして０．１〜２０重量％、好ましくは０．５〜１０重量％、特に好ましくは２〜５重量％と、任意の補助剤および添加剤と、水、残部を含有する、或いは好ましくはそれらからなる。
【００２８】
補助剤および／又は添加剤として、本発明による離型剤組成物中に、乳化剤、触媒、気泡安定剤、粘度調整剤、防腐剤、および／又は炭素数４以下の短鎖アルコールから選択される１種類以上の化合物が存在してもよい。
【００２９】
通常の補助剤および／又は添加剤として、次の群から選択される１種類以上の化合物を含有していてもよい。
Ｉ）乳化剤：
アルキルエーテルカルボキシレート、アルキルサルフェート、脂肪アルコールエトキシレートエーテルサルフェート、α−オレフィンスルホネート、アルキルホスフェート、アルキルポリエーテルホスフェート、アルキルスルホサクシネートのようなアニオン性乳化剤；エトキシ化脂肪アルコール、エトキシ化オキソアルコールおよび他のアルコールエーテル、ジメチルアルキルアミンのような脂肪アミン、脂肪酸アルカノールアミド、アルコールとの脂肪酸エステル（その中にグリセリンエステル又はポリグリセリンエステル又はソルビトールエステルも含まれる）のような非イオン性乳化剤；酸性に調節されたアルキルジメチルアミン、四級窒素化合物のようなカチオン性乳化剤；最後に、双性イオン性界面活性剤。好ましくは、非イオン性乳化剤である。乳化剤の量は、組成物全体を基準にして０．１〜１０重量％、好ましくは０．５〜６重量％であってもよい；
ＩＩ）触媒：
ポリウレタン反応に典型的に使用されるようなもの。例えば、スズ化合物若しくはビスマス化合物のようなルイス酸、又は三級アミンのようなルイス塩基；
ＩＩＩ）気泡安定剤：ポリシロキサン−ポリエーテル共重合体。このようなものは、例えば、Ed.R.Herrington et al., Appendix E Surfactants, Flexible Polyurethane Foams, The Dow Chemical Company, 2nd edition, 1997に記載される。
ＩＶ）粘度調整剤：
カルボマーと称されるポリアクリル酸誘導体のような典型的な増粘剤、又は、水溶性セルロース誘導体若しくはまたキサンタンガムのような他の高分子電解質増粘剤。水性配合物中の粘度調整剤として、脂肪族炭化水素、即ち、使用されるワックスを膨潤させ、そのように増粘効果を示す石油留分も考えられ得る。
Ｖ）例えば、Euxyl（登録商標）１００（供給業者、Schulke&Mayr）又はMergal（登録商標）Ｋ１２（供給業者、Troy）などの殺菌剤又は殺真菌剤のような通常の防腐剤、および／又は、例えば、Irganox（登録商標）１５２０Ｌ（製造業者、Ciba）又はブチルヒドロキシアニソールなどの酸化防止剤；
ＶＩ）例えば、エタノール、ｎ−プロパノール、イソプロパノール又はブタノールのような炭素数４までの短鎖アルコール。
【００３０】
組成物全体に対する補助剤および添加剤の量は、とりわけ＜１５重量％、好ましくは＜１０重量％である。
【００３１】
本発明による離型剤組成物を、従来技術で既知の方法に従って又は後述のように製造することができる。石鹸は、例えば、金属水酸化物および脂肪酸又は脂肪酸グリセリドから得ることができる。次いで、得られた金属石鹸を水で希釈し、続いてポリアルキレングリコールを直接又は乳化された形態で、場合によっては補助剤および添加剤と一緒に添加する。
【００３２】
本発明は、更に、ポリウレタン成形体の製造時の、或いはポリウレタン成形体の製造のための本発明による離型剤組成物の使用に関する。
【００３３】
従来は、金型を４５〜８０℃、好ましくは５０〜７５℃の所望の金型温度に至らしめ、中に離型剤を噴霧し、最大量の水が蒸発するまで、ある一定の時間−水の量に応じて約１〜１０分−待ち、次いで、ポリオレフィン、ポリイソシアネート、並びに、場合によっては、触媒、気泡安定剤、および噴射剤のような他の添加剤からなる反応性ポリウレタン系を注入する。金型を閉鎖し、硬化時間後に開放して成形品を脱型する。
【００３４】
後述の実施例で本発明を例として記載するが、本発明の適用範囲は発明の詳細な説明および特許請求の範囲全体から明らかとなり、本発明は実施例に記載されている実施形態に限定されるものではない。
【実施例】
【００３５】
使用される物質のリスト
−Novec（商標）フッ素系界面活性剤ＦＣ−４４３０＝パーフルオロブタンスルホネート界面活性剤（製造業者、３Ｍ）、
−Bayflex（登録商標）ＰＵ３０ＩＳ２３＝ポリエステルポリオール（製造業者： Bayer Material Science AG）、
−Desmodur（登録商標）ＰＭ５３＝イソシアネート（製造業者： Bayer Material Science AG）、
−Pluriol（登録商標）Ｅ２００＝ポリエチレングリコール、平均モル質量２００ｇ／ｍｏｌ（製造業者、BASF）、
−ポリグリコールＰ４１／３０００＝ポリアルキレングリコール、平均モル質量１５０００（製造業者： Clariant）、
−Acclaim（登録商標）８２００＝ポリプロピレンオキサイド、平均モル質量８，０００ｇ／ｍｏｌ（製造業者、Bayer AG）、
−Tego（登録商標）Ａｃｉｄ  Ｓ１００Ｐ＝ＰＥＧ−１００−ステアレート（製造業者、Degussa GmbH）。
【００３６】
実施例１
離型剤１
離型剤１の組成：イソステアリン酸カリウム４重量％、エタノール３重量％、Pluriol（登録商標）Ｅ２００、２重量％、水９１重量％。
【００３７】
実施例２
離型剤２
離型剤２の組成：イソステアリン酸ナトリウム８重量％、エタノール４重量％、ポリグリコールＰ４１／３０００、２重量％、水８６重量％。
【００３８】
実施例３
離型剤３
離型剤３の組成：イソステアリン酸カリウム１０重量％、エタノール５重量％、（Acclaim（登録商標）８２００、３５重量％、Tego（登録商標）Ａｃｉｄ  Ｓ１００Ｐ、５重量％、および水６０重量％）のエマルション５重量％、水８０重量％。
【００３９】
比較例Ａ
比較離型剤Ａ
比較離型剤Ａの組成（ＤＥ３６  ００  ３６８の実施例２に準拠）：イソステアリン酸ナトリウム４．０重量％、エタノール２０．８重量％、ブタノール５．０重量％、Novec（商標）ＦＣ−４４３０を０．２重量％、水７０重量％。
【００４０】
離型剤の試験
離型剤を０．５ｍｍの噴射ノズルを用いて、２０ｇ／ｍ２の実際的な量で試験金型内に噴霧し、数秒間この周囲から排気した。続いて、Bayflex（登録商標）ＰＵ３０ＩＳ２３、１００．０部（重量部）、エチレングリコール１０．０部、ジエチレングリコール１．０部、脱イオン水（demineralisiertes）０．８部、（エチレングリコール中２５重量％の）トリエチレンジアミン２．０部、およびDesmodur（登録商標）ＰＭ５３、１２８．２部からなる発泡性ポリウレタン系をこれらの金型に入れて５０℃で発泡させた。硬化（５分）後、発泡品を脱型した。表１に記載するようにそのプロセスを繰り返した。
【００４１】
【表１】
2009040048.tif 000002
【００４２】
表１から分かるように、本発明による離型剤組成物を用いた方が比較離型剤を用いた場合よりも明らかに多くの離型プロセスを実施することができる。